(57)【特許請求の範囲】
【請求項１】
着用者の腹部に当接する前身頃（１）と，着用者の背部に当接する後身頃（２）と，前記前身頃（１）と前記後身頃（２）の間に位置する股下部（３）に区分される吸収性物品において，
前記前身頃（１）又は前記後身頃（２）の少なくとも一方に設けられ，前記吸収性物品の長手方向に延びる山折線（１１）と谷折線（１２）により形成された，前記吸収性物品の幅方向に向かって展開可能な一又は複数のタック部（１０）と，
前記タック部（１０）の一部が前記幅方向に展開しないように，前記タック部（１０）を部分的に固定する固定手段（１３）と，を有し，
前記吸収性物品は，
吸収体（２１）と，前記吸収体（２１）を肌当接面側から被覆する液透過性のトップシート（２２）と，前記吸収体（２１）を肌非当接面側から被覆する液不透過性のバックシート（２３）を含み，
前記吸収体（２１）には，前記長手方向に沿って，肌当接面側から肌非当接面側まで貫通した溝部（２１ａ）が形成されており，
前記バックシート（２３）は，前記吸収体（２１）の溝部（２１ａ）を介して前記吸収体（２１）の肌当接面側まで突出した位置に，バックシートの山折線（１１ｂ）を有し，
前記トップシート（２２）は，前記バックシートの山折線（１１ｂ）に沿った位置にトップシートの山折線（１１ａ）を有しており，
前記トップシート（２２）及び前記バックシート（２３）により，前記タック部（１０）が形成されている
吸収性物品。
【請求項２】
着用者の腹部に当接する前身頃（１）と，着用者の背部に当接する後身頃（２）と，前記前身頃（１）と前記後身頃（２）の間に位置する股下部（３）に区分される吸収性物品において，
前記前身頃（１）又は前記後身頃（２）の少なくとも一方に設けられ，前記吸収性物品の長手方向に延びる山折線（１１）と谷折線（１２）により形成された，前記吸収性物品の幅方向に向かって展開可能な一又は複数のタック部（１０）と，
前記タック部（１０）の一部が前記幅方向に展開しないように，前記タック部（１０）を部分的に固定する固定手段（１３）と，を有し，
前記タック部（１０）は，前記山折線（１１）と前記谷折線（１２）が，前記股下部（３）から前記前身頃（１）及び前記後身頃（２）に掛けて延びることにより，形成されたものであり，
前記固定手段（１３）は，前記股下部（３）のみにおいて，前記タック部（１０）を部分的に固定しており，
前記吸収性物品は，
吸収体（２１）と，前記吸収体（２１）を肌当接面側から被覆する液透過性のトップシート（２２）と，前記吸収体（２１）を肌非当接面側から被覆する液不透過性のバックシート（２３）を含み，
前記吸収体（２１）には，前記長手方向に沿って，肌当接面側から肌非当接面側まで貫通した溝部（２１ａ）が形成されており，
前記トップシート（２２）は，前記吸収体（２１）の溝部（２１ａ）を介して前記吸収体（２１）の肌非当接面側まで突出した位置に，トップシートの谷折線（１２ａ）を有し，
前記バックシート（２３）は，前記トップシートの谷折線（１２ａ）に沿った位置にバックシートの谷折線（１２ｂ）を有しており，
前記トップシート（２２）及び前記バックシート（２３）により，前記タック部（１０）が形成されている
吸収性物品。
【請求項３】
着用者の腹部に当接する前身頃（１）と，着用者の背部に当接する後身頃（２）と，前記前身頃（１）と前記後身頃（２）の間に位置する股下部（３）に区分される吸収性物品において，
前記前身頃（１）又は前記後身頃（２）の少なくとも一方に設けられ，前記吸収性物品の長手方向に延びる山折線（１１）と谷折線（１２）により形成された，前記吸収性物品の幅方向に向かって展開可能な一又は複数のタック部（１０）と，
前記タック部（１０）の一部が前記幅方向に展開しないように，前記タック部（１０）を部分的に固定する固定手段（１３）と，を有し，
前記吸収性物品は，
吸収体（２１），前記吸収体（２１）を肌当接面側から被覆する液透過性のトップシート（２２），及び前記吸収体（２１）を肌非当接面側から被覆する液不透過性のバックシート（２３）を含む吸収性本体（２０）と，
前記吸収性本体を着用者の身体に宛てがった状態で保持するための外装体シート（３０）を，さらに有し，
前記吸収性本体（２０）と前記外装体シート（３０）は，前記固定手段（１３）が形成された部分のみにおいて，互いに接合されている
吸収性物品。
【請求項４】
着用者の腹部に当接する前身頃（１）と，着用者の背部に当接する後身頃（２）と，前記前身頃（１）と前記後身頃（２）の間に位置する股下部（３）に区分される吸収性物品において，
前記前身頃（１）又は前記後身頃（２）の少なくとも一方に設けられ，前記吸収性物品の長手方向に延びる山折線（１１）と谷折線（１２）により形成された，前記吸収性物品の幅方向に向かって展開可能な一又は複数のタック部（１０）と，
前記タック部（１０）の一部が前記幅方向に展開しないように，前記タック部（１０）を部分的に固定する固定手段（１３）と，を有し，
前記吸収性物品は，
吸収体（２１）と，前記吸収体（２１）を肌当接面側から被覆する液透過性のトップシート（２２）と，前記吸収体（２１）を肌非当接面側から被覆する液不透過性のバックシート（２３）を含む吸収性本体（２０）と，
前記吸収性本体（２０）を着用者の身体に宛てがった状態で保持するための外装体シート（３０）を，さらに有し，
前記外装体シート（３０）に，前記一又は複数のタック部（１０）が形成されており，
前記外装体シート（３０）に，前記固定手段（１３）が形成されている
吸収性物品。
【発明の詳細な説明】
【技術分野】
【０００１】
本発明は，例えば使い捨ておむつや，生理用ナプキン，失禁パッドのような吸収性物品に関する。具体的に説明すると，本発明は，長手方向に沿った山折線と谷折線によりタック部が形成され，このタック部を幅方向に伸張展開させることにより，製品幅の調節が可能な吸収性物品に関するものである。
【背景技術】
【０００２】
従来から，例えば乳幼児や高齢者用の使い捨てのおむつのような吸収性物品が知られている。吸収性物品は，着用者の腹部に当接する前身頃と，着用者の背部に当接する後身頃と，着用者の股下にあてがわれる股下部に区分され，吸収性材料を含む吸収体が股下部を中心に配置されている。
【０００３】
通常，吸収性物品は製品幅を変化させることができないものであるため，着用者の身体が大きい場合や，着用者が男性であり男性器の向きにより排尿方向が任意の方向になる可能性がある場合など，予め製品幅を広く確保した吸収性物品を用意する必要がある。また，例えば，マヒ等により常に同じ脇側を下にして側臥位の姿勢でいる者にとって，下側となる脇側の製品幅が広くなっていれば，尿漏れを防止することができ便利である。
【０００４】
しかし，このような身体的特性に基づいた要望は，着用者個々人によって異なっている。このため，例えば，複数の人が利用する施設に吸収性物品を置いたり，着用者の身体の状況に応じて吸収性物品の片脇側のみを幅広に確保したり，着用者が男性であるときに前身頃の製品幅を広くして着用者の腹部を広い面積で覆いたいような場合には，製品幅の異なる吸収性物品を，複数種類準備する必要があった。
また，仮に，製品幅の異なる吸収性物品を複数種類準備した場合であっても，身体の大きさやマヒ等の有無は着用者によって千差万別であるため，特定の寸法を規定して製造された既製品では，着用者の個々の状況に適切に応じたフィット性が得られない可能性があり，尿漏れや着用感の低下を招いていた。
【０００５】
そこで，このような問題の解決策として，吸収性物品の幅方向の両端部分を予め折り畳んだ吸収性物品が提案されている（特許文献１）。特許文献１に記載の吸収性物品は，長手方向全体に亘って畳み部が形成されており，例えば，吸収性物品の装着する際に，この畳み部を幅方向に向かって展開することにより，製品幅を拡張することができるとされている。これにより，使用前にはコンパクトに収納しておくことができ，装着時には着用者の身体の特性に合わせて製品幅を展開することができるため，吸収性物品の尿漏れ防止や着用感の向上を達成できるとされていた。
【先行技術文献】
【特許文献】
【０００６】
【特許文献１】特表２００４−５２５７３２号公報
【発明の概要】
【発明が解決しようとする課題】
【０００７】
しかしながら，特許文献１に記載の吸収性物品は，展開可能な畳み部が，吸収性物品の長手方向全体に亘って連続的に形成されている。このため，例えば，一旦，畳部を展開させる操作を行うと，この畳部は最大限の幅まで展開することとなる。従って，特許文献１に記載の吸収性物品は，折り畳んだ状態の最小限幅と，展開した状態の最大限幅の２段階以外に，製品幅を調節することが困難であった。
【０００８】
また，特許文献１に記載の吸収性物品は，展開可能な畳み部が吸収性物品の長手方向全体に亘って連続的に形成されているため，一旦，畳部を展開させる操作を行うと，吸収性物品の前身頃から後身頃に掛けて，製品幅が一度に展開することとなる。しかし，吸収性物品に求められる製品幅は，前身頃，股下部，及び後身頃でそれぞれ異なるものである。特に，股下部の製品幅を，前身頃や後身頃と同程度まで拡げることとすると，股下部において吸収性物品がダブついて，吸収性物品と着用者の肌の間に隙間が生じてしまい，着用感が却って低下する。また，例えば，特許文献１に記載の吸収性物品は，例えば，着用者が男性である場合のように，前身頃の製品幅のみを広くして着用者の腹部を広い面積で覆いたいといった要望に，完全に応えることができない。このように，特許文献１に記載の吸収性物品は，部分ごとに，適切な製品幅に調節することが困難であった。
【０００９】
このため，現在では，製品幅を，前身頃，股下部，及び後身頃のような部分ごとに，適切な幅に微調節することのできる吸収性物品が求められている。
【課題を解決するための手段】
【００１０】
そこで，本発明の発明者は，上記の従来発明の問題点を解決する手段について鋭意検討した結果，吸収性物品に，山折線と谷折線によって幅方向に展開可能なタック部を形成し，このタック部の一部が幅方向に展開しないように部分的に固定する固定手段を設けることにより，部分ごとに，製品幅を適切な幅に微調節することができるという知見を得た。そして，本発明者は，上記知見に基づけば，従来技術の課題を解決できることに想到し，本発明を完成させた。
具体的に説明すると，本発明は，以下の構成を有する。
【００１１】
本発明は，吸収性物品に関する。
本発明の吸収性物品は，着用者の腹部に当接する前身頃１と，着用者の背部に当接する後身頃２と，前身頃１と後身頃２の間に位置する股下部３に区分される。
吸収性物品は，一又は複数のタック部１０と，固定手段１３を有する。
タック部１０は，前身頃２又は後身頃３の少なくとも一方に設けられ，吸収性物品の長手方向に延びる山折線１１と谷折線１２により形成されて，吸収性物品の幅方向に向かって展開可能になっている。
また，固定手段１３は，タック部１０の一部が幅方向に展開しないように，タック部１０を部分的に固定する。
【００１２】
ここで，吸収性物品の「長手方向」とは，吸収性物品の前身頃１と後身頃２を結ぶ方向を意味し，吸収性物品の「幅方向」とは，長手方向に平面的に直交する方向を意味する。
また，「山折線１１」と「谷折線１２」は，吸収性物品をその厚み方向（長手方向及び幅方向に空間的に直交する方向）に屈折させる折線であり，山折線１１と谷折線１２は，互いに反対方向に折れ曲がるものである。特に，山折線１１は，吸収性物品が肌当接面側に向かって凸となるように，吸収性物品を屈折させる。反対に，谷折線１２は，吸収性物品が肌当接面側からみて凹となるように，吸収性物品を屈折させるものである。
【００１３】
上記構成のように，タック部１０は，山折線１１と谷折線１２において，吸収性物品を形成するシート部材を折り畳むことにより形成される。そして，タック部１０は，折り畳まれた状態で，固定手段１３により，部分的に接合されている。このため，タック部１０の固定されていない部分を展開させようとした際，固定された部分近傍のシート部材が擦れ合うことで摩擦抵抗が生じるため，タック部１０の固定されていない部分の幅を微調節しながら徐々に展開することができるようになる。従って，本発明によれば，吸収性物品の展開可能な部分の製品幅を，着用者の要望や身体的特性に合せて，適切に調節することができる。
また，吸収性物品は，タック部１０が部分的に固定手段１３により固定されているため，例えば，固定手段１３を境界として，前身頃１側のみを展開させることもできるし，後身頃２側のみを展開させることもできる。従って，本発明によれば，吸収性物品の各部を自由に調節して展開させることが可能になる。
【００１４】
本発明において，タック部１０は，山折線１１と谷折線１２が，股下部３から前身頃１及び後身頃２に掛けて延びることにより，形成されたものであることが好ましい。
そして，固定手段１３は，股下部３において，タック部１０を部分的に固定するものであることが好ましい。
【００１５】
上記構成のように，山折線１１と谷折線１２を，股下部３を中心に前身頃１及び後身頃２に掛けて形成することにより，吸収性物品の長手方向の略全体に亘って，幅方向に展開するタック部１０を形成できる。また，股下部３においてタック部１０を固定することで，股下部３においてはタック部１０が展開しなくなるため，前身頃１と後身頃２と比較し，股下部３を幅狭とすることができる。このため，結果として，吸収性物品が，いわゆる砂時計型となる。このように，股下部３のタック部１０を固定し，吸収性物品を砂時計型とすることにより，装着時における股下部３のダブつきを防止でき，吸収性物品を着用者の股下に適切にフィットさせることができる。従って，吸収性物品の着用感の向上に繋がる。
さらに，吸収性物品の股下部３においてタック部１０を固定することで，股下部３においてシート部材が折り畳まれた状態に保持されるため，股下部３のシート部材が層厚となり，液体の保持力が向上する。従って，尿漏れを効果的に防止できる。
【００１６】
本発明は，固定手段１３が設けられた部分以外の部分に，固定手段１３よりも弱い接着力でタック部１０を剥離可能に仮固定する仮固定手段１４を有することが好ましい。
【００１７】
上記構成のように，閉じた状態のタック部１０を仮固定しておくことにより，着用者が，タック部１０を幅方向に拡げる動作を行うまで，その閉じた状態を保持できる。従って，吸収性物品をコンパクトに保持しておくことができ，製品の包装や出荷，搬送，陳列を効率的に行うことができる。
【００１８】
本発明において，吸収性物品は，吸収体２１と，吸収体２１を肌当接面側から被覆する液透過性のトップシート２２と，吸収体２１を肌非当接面側から被覆する液不透過性のバックシート２３を含む吸収性本体２０を有することが好ましい。この場合において，吸収性本体２０に，一又は複数のタック部１０が形成されており，吸収性本体２０に，固定手段１３が形成されていることが好ましい。
【００１９】
また，上記構成のように，吸収体２１を有する吸収性本体２０自体に対し，幅方向に展開するタック部１０を形成する形態において，吸収体２１には，長手方向に沿って，肌当接面側から肌非当接面側まで貫通した溝部２１ａを設けることが好ましい。この場合，バックシート２３は，吸収体２１の溝部２１ａを介して吸収体２１の肌当接面側まで突出した位置にバックシートの山折線１１ｂを有し，トップシート２２は，バックシートの山折線１１ｂの沿った位置にトップシートの山折線１１ａを有し，トップシート２２及びバックシート２３により，タック部１０が形成されていることとしてもよい。
【００２０】
上記構成のように，吸収体２１に溝部２１ａを形成し，その溝部２１ａを介してバックシート２３を肌当接面側に突出させ，肌当接面側においてバックシート２３とトップシート２２によってタック部１０を形成することにより，吸収体２１を山折及び谷折することなく，タック部１０を形成することができる。通常，バックシート２３とトップシート２２は厚みの薄いシート部材であるため折り畳み易いが，吸収体２１は一定の厚みを有する部材であるため折り畳み難い。この点，上記構成のようにすることで，吸収体２１に折畳部ができることを回避できるため，吸収性本体２０の厚みが増すことなく，タック部１０を形成できる。
【００２１】
また，吸収体２１の長手方向に沿って，肌当接面側から肌非当接面側まで貫通した溝部２１ａを設ける場合において，トップシート２２は，吸収体２１の溝部２１ａを介して吸収体２１の肌非当接面側まで突出した位置に，トップシートの谷折線１２ａを有し，バックシート２３は，トップシートの谷折線１２ａの沿った位置にバックシートの谷折線１２ｂを有しており，トップシート２２及びバックシート２３により，タック部１０が形成されていることとしてもよい。
【００２２】
上記構成のように，吸収体２１の溝部２１ａを介して吸収体２１の肌非当接面側まで突出した位置に，トップシートの谷折線１２ａを設けることにより，吸収体２１の肌当接面側に突出する部分が形成されることを回避できるため，吸収性物品の着用感を向上させることができる。
【００２３】
本発明の吸収性物品は，吸収性本体２０を着用者の身体に宛てがった状態で保持するための外装体シート３０を，さらに有するものであってもよい。この場合，吸収性本体２０と外装体シート３０は，吸収性本体２０に固定手段１３が形成された部分において，互いに接合されていることが好ましい。
【００２４】
上記構成のように，吸収性本体２０に固定手段１３が形成された部分において，吸収性本体２０と外装体シート３０を接合することで，吸収性本体２０に形成されたタック部１０の展開性を阻害することがない。例えば，吸収性本体２０を外装体シート３０の肌当接面側に載置固定することで，使い捨ておむつを構成することができる。
【００２５】
本発明は，吸収性本体２０と外装体シート３０を有する形態において，外装体シート３０に，一又は複数のタック部１０が形成されており，外装体シート３０に，固定手段１３が形成されていてもよい。
【００２６】
上記構成のように，本発明は，外装体シート３０に一又は複数のタック部１０が形成され，外装体シート３０が，幅方向に展開可能なものであってもよい。
【発明の効果】
【００２７】
本発明は，吸収性物品の長手方向に延びるタック部１０が，折り畳まれた状態で部分的に接合されているため，タック部１０の固定されていない部分を展開させようとした際に，固定された部分近傍のシート部材が擦れ合うことで摩擦抵抗が生じ，タック部１０の固定されていない部分の幅を微調節しながら徐々に展開することができるようになる。従って，本発明によれば，吸収性物品の展開可能な部分の製品幅を，着用者の要望や身体的特性に応じて，適切に調節することができる。
【００２８】
また，本発明の吸収性物品は，タック部１０が部分的に固定手段１３により固定されているため，例えば，固定手段１３を境界として，前身頃１側のみを展開させることもできるし，後身頃２側のみを展開させることもできる。従って，本発明によれば，吸収性物品の各部を自由に調節して展開させることが可能になる。
【図面の簡単な説明】
【００２９】
【図１】図１は，本発明のある実施形態に係る吸収性物品を概念的に示した斜視図である。
【図２】図２は，図１に示された状態から，タック部が幅方向に展開した状態を概念的に示した斜視図である。
【図３】図３は，吸収性物品うち，固定手段が設けられていない部分を概念的に示した断面図である。図３（ａ）は，図１に示されたＡ−Ａ線における断面図である。図３（ｂ）は，図２に示されたＢ−Ｂ線における断面図である。
【図４】図４は，図１に示されたＣ−Ｃ線における断面図であり，吸収性物品のうち，固定手段が設けられた部分の断面形状を概念的に示している。図４（ａ）は固定手段一例を示し，図４（ｂ）は固定手段の他の例を示している。
【図５】図５は，吸収性物品に山折線及び谷折線を形成する好ましい配置を説明するための図である。
【図６】図６は，他の実施形態に係る吸収性物品の断面形状を示している。図６（ａ）は，タック部が展開する前の吸収性物品の断面形状を示している。また，図６（ｂ）は，タックが展開した後の吸収性物品の断面形状を示している。また，図６（ｃ）は，図６（ａ）に示された形態の変形例を示している。
【図７】図７は，他の実施形態に係る吸収性物品のうち，固定手段が設けられた部分の断面形状を概念的に示したものである。図７（ａ）は固定手段の一例を示し，図７（ｂ）は固定手段の他の例を示している。また，図７（ｃ）は，図７（ａ）に示された形態の変形例を示している。
【図８】図８は，さらに別の実施形態に係る吸収性物品を示す斜視図である。
【図９】図９は，吸収性本体及び外装体シートを含む実施形態を示す展開図である。
【図１０】図１０は，吸収性本体及び外装体シートを含む別の実施形態を示す展開図である。
【図１１】図１１は，吸収性本体及び外装体シートを含む別の実施形態の断面形状を示す断面図である。図１１（ａ）は，図１０に示されたＣ−Ｃ線における断面図である。図１１（ｂ）は，図１１（ａ）に示された状態から，タック部が展開した状態を示している。
【図１２】図１２は，図１０に示されたＥ−Ｅ線における断面図であり，吸収性物品のうち，固定手段が設けられた部分の断面形状を概念的に示している。
【発明を実施するための形態】
【００３０】
以下，図面を用いて本発明を実施するための形態について説明する。本発明は，以下に説明する形態に限定されるものではなく，以下の形態から当業者が自明な範囲で適宜修正したものも含む。
なお，本願明細書において，「Ａ〜Ｂ」とは，「Ａ以上Ｂ以下」であることを意味する。
【００３１】
図１は，本発明のある実施形態に係る吸収性物品１００を概念的に示した斜視図であり，吸収性物品１００を肌当接面側からみた状態を示している。図１に示されるように，本発明の吸収性物品１００は，着用者の腹部に当接する前身頃１と，着用者の背部に当接する後身頃２と，前身頃１と後身頃２の間に位置する股下部３に区分される。前身頃１，後身頃２，及び股下部３は，例えば吸収性物品１００の長手方向を３等分した場合に，最も腹部寄りの領域を前身頃１，最も背部寄りの領域を後身頃３，それらの間の領域を股下部３と区分してもよい。吸収性物品１００は，前身頃１から後身頃２に掛けて吸収体２１を有している。この吸収体２１は，肌当接面側から液透過性のトップシート２２によって被覆され，肌非当接面側から液不透過性のバックシート２３によって被覆される。トップシート２２とバックシート２３は，吸収体２１の前身頃側端部，後身頃側端部，及び幅方向左右両端部よりも外側に延出して形成されており，吸収体２１の周囲において，トップシート２２とバックシート２３の延出した部分が互いに接合されている。これにより，吸収体２１は，トップシート２２とバックシート２３により封入された状態となっている。
【００３２】
吸収体２１は，尿などの液体を吸収し，吸収した液体を保持するための部材である。吸収体２１は，液透過性のトップシート２２と液不透過性のバックシート２３の間に配置され，トップシート２２を透過した液体を吸収する吸収性材料により構成される。吸収体２１を構成する吸収性材料には，公知の材料を採用することができる。吸収性材料としては，例えば，フラッフパルプ，高吸収性ポリマー，又は親水性シートを用いることとしてもよい。また，吸収性材料には，フラッフパルプ，高吸収性ポリマー，又は親水性シートのうち１種類を単独で用いてもよいし，２種類以上を併用することとしてもよい。吸収性材料は，通常，単層又は複数層のマット状に形成されて用いられる。吸収体２１は，吸収性材料を，コアラップシートによって被包することにより形成されたものであることが好ましい。コアラップシートは，肌当接面側及び肌非当接面側から，吸収性材料を被覆し，吸収性材料が外側へ漏出することを防止する。コアラップシートとしては，ティシュペーパー，吸収紙，親水化処理を行った不織布等を適宜用いることができる。
【００３３】
トップシート２２は，着用者の股下部の肌に直接接し，尿などの液体を吸収体２１へ透過させるための部材である。このため，トップシート２２は，柔軟性が高い液透過性材料で構成される。トップシート２２を構成する不透過性材料の例は，織布，不織布，又は多孔性フィルムである。また，例えばポリプロピレンやポリエチレン，ポリエステル，ナイロンのような熱可塑性樹脂の繊維を親水化処理してさらに不織布にしたものを用いることとしてもよい。
【００３４】
バックシート２３は，トップシート２２を透過し吸収体２１に吸収された液体が，おむつの外側へ漏出することを防止するための部材である。このため，バックシート２３は，液不透過性材料によって構成される。そして，バックシート２３は，吸収体２１の底面からの液漏れを防止するため，吸収体２１を肌非当接面側から被覆する。バックシート２３を構成する不透過材料の例は，ポリエチレン樹脂からなる液不透過性のフィルムである。特に，０．１〜４μｍの微細な孔が複数形成された微多孔性ポリエチレンフィルムを用いることが好ましい。
【００３５】
上記構成の吸収性物品１００は，前身頃１から後身頃２に掛けて長手方向に沿って延びる複数のタック部１０が形成されている。タック部１０は，吸収性物品１００を，長手方向に沿って延びる山折線１１と谷折線１２に沿って厚み方向に折り曲げることにより形成される。一つのタック部１０は，基本的に，一の山折線１１と一の谷折線１２とによって形成することができる。図１に示されるように，山折線１１は，吸収性物品１００が肌当接面側に向かって凸となるように，吸収性物品１００を屈折させる。他方，谷折線１２は，吸収性物品１００が肌当接面側からみて凹となるように，吸収性物品１００を屈折させる。山折線１１と谷折線１２は，吸収性物品１００の幅方向に並んで，交互に連続するよう配置され，これにより，吸収性物品１００に複数のタック部１０が形成される。
【００３６】
吸収性物品１００に形成されるタック部１０の数は，少なくとも１つ以上であればよく，２〜１０つであってもよいし，４〜７つであってもよい。吸収性物品１００には，幅方向の略全体に亘って，複数のタック部１０が形成されていることが好ましく，特に，幅方向の中央の領域には，山折線１１と谷折線１２によってタック部１０が形成されていることが好ましい。
【００３７】
また，図１に示されるように，吸収性物品１００の股下部３の中央には，固定手段１３が形成されている。特に，図１に示された実施形態では，吸収性物品１００を長手方向に２分する中央線に沿って，固定手段１３が設けられている。固定手段１３は，タック部１０が展開しないように，タック部１０が山折線１１と谷折線１２に沿って折り畳まれた状態で固定する。吸収性物品１００に複数のタック部１０が形成される場合，固定手段１３は，すべてのタック部１０に設けられることが好ましい。固定手段１３は，図１に示されるように，複数のタック部１０について，幅方向に沿った同一直線上に形成されていることが好ましい。すなわち，固定手段１３が形成された領域においては，複数のタック部１０は，いずれも幅方向に沿って展開しないように固定される。
【００３８】
ただし，固定手段１３は，幅方向に沿った同一直線上に設けられていなくてもよく，例えば，固定手段１３は，幅方向の両側部においては後身頃２寄りの位置に設けられ，幅方向の中央部においては前身頃１寄りの位置に設けられるものであってもよい。このようにすることで，前身頃１側に形成されたタック部１０を，扇状に綺麗に展開することができるようになる。
また，同様に，固定手段１３は，幅方向の両側部においては前身頃１寄りの位置に設けられ，幅方向の中央部においては後身頃２寄りの位置に設けられるものであってもよい。このようにすることで，後身頃２側に形成されたタック部１０を，扇状に綺麗に展開することができるようになる。
【００３９】
固定手段１３は，タック部１０が折り畳まれた状態を部分的に固定することのできる手段であれば，公知の手段を採用することができ，例えば，ホットメルト接着剤による固定や，ソニックシールやヒートシールによる固定，その他粘着部を持つ別体のシートにより固定を行うことができる。また，図１は，固定手段１３が設けられる領域を概念的に示しているに過ぎず，固定手段１３は，図１に示されるように吸収性物品１００の幅方向に亘って連続的に形成されているものに限られない。例えば，後述するように，固定手段１３は，図１に示された領域において，山折線１１や谷折線１２が形成された箇所を部分的に接合するものであってもよい。
【００４０】
固定手段１３は，吸収性物品１００の長手方向に沿って一定の長さで形成される。例えば，吸収性物品１００の長手方向における固定手段１３長さは，吸収性物品１００の長さに対して，５％〜３０％，１０％〜２５％，又は１５％〜２０％とすることが好ましい。具体的には，固定手段１３が設けられる長さは，１０ｍｍ〜１００ｍｍ，２０ｍｍ〜８０ｍｍ，又は３０ｍｍ〜６０ｍｍとすることができる。
【００４１】
図２は，図１に示された状態から，タック部１０が幅方向に展開した状態を示している。図２に示されるように，股下部３の固定手段１３が設けられた領域においては，タック部１０を幅方向に展開することができなくなっているため，タック部１０は，山折線１１及び谷折線１２に沿って折り畳まれた状態が保持されている。
他方，固定手段１３が設けられていない領域において，タック部１０を展開すると，吸収性物品１００の幅が広がる。すなわち，前身頃１と後身頃２を左右側方に向かって引張することにより，固定手段１３が設けられた領域から，前身頃１側の端部と後身頃２側の端部に向かうにつれて，山折線１１及び谷折線１２が引き延ばされていく。このとき，股下部３においては，吸収性物品１００が折り畳まれた状態が保持されているため，前身頃１と後身頃２を左右側方に引き出すときに，固定手段１３が設けられた領域の近傍において，シート部材同士が擦れ合うことによる摩擦抵抗が生じる。このように，前身頃１と後身頃２を引き出す際には，上記摩擦抵抗が働くため，タック部１０が一気に最大限まで展開することはなく，吸収性物品１００の幅を微調節しながら徐々にタック部１０を展開させていくことができる。そして，固定手段１３が設けられていない領域においては，前身頃１側の及び後身頃２側を，幅方向に最大限まで展開させることで，前身頃１側の端部近傍及び後身頃２側の端部近傍において，吸収性物品１００を平坦な状態とすることができる。
【００４２】
例えば，吸収性物品１００の前身頃１側端部と後身頃２側端部において，タック部１０が最大限に展開した部分における吸収性物品１００の幅は，タック部１０が完全に閉じた状態であったときの幅と比較して，１１０％〜３００％，１３０％〜２５０％，又は１５０％〜２００％とすることが好ましい。この吸収性物品１００の幅の拡張率は，例えば，あるタック部１０を形成する山折線１１と谷折線１２間の距離や，隣接するタック部１０の山折線１１と谷折線１２間の距離によって調節することができる。また，吸収性物品１００の幅の拡張率は，トップシート２２とバックシート２３の伸縮率を調節することによっても変化させることができる。
【００４３】
図３は，吸収性物品１００のうち，固定手段１３が設けられていない部分の断面図を概念的に示している。図３（ａ）は，図１に示されたＡ−Ａ線における断面図であり，タック部１０が展開する前の吸収性物品の断面形状を示している。図３（ｂ）は，図２に示されたＢ−Ｂ線における断面図であり，タック部１０が展開した後の吸収性物品の断面形状を示している。
まず，図３（ａ）に示されるように，本実施の形態において，吸収性物品１００は，吸収体２１，トップシート２２，及びバックシート２３が，一体となった状態で，山折線１１及び谷折線１２に沿って折り畳まれて，複数のタック部１０が形成されている。このように，例えばホットメルト接着剤を用いて，吸収体２１の肌当接面側にトップシート２２を貼合し，吸収体２１の肌非当接面側にバックシート２３を貼合した状態で，これらの積層物に，山折線１１と谷折線１２を交互に設け，複数のタック部１０を形成することとしてもよい。
【００４４】
また，図３（ａ）に示されるように，閉じた状態のタック部１０のそれぞれは，仮固定手段１４によって，剥離可能に仮固定されていることが好ましい。すなわち，仮固定手段１４は，吸収性物品１００が，左右側方に引張されたときには容易に剥離するものの，引張力がかかっていない状態においては，各タック部１０が折り畳まれた状態を保持できる程度の接着力で，各タック部１０を固定する。仮固定手段１４は，吸収性物品の製造時においてタック部１０が展開しないように固定することを目的としてなされるものであるので，実際に吸収性物品を使用する際には自然に，又は極めて弱い力により剥離されるものであることが好ましい。少なくとも，仮固定手段１４は，上述した固定手段１３よりも弱い接着力によって，タック部１０を固定する。仮固定手段１４は，例えば，ホットメルト接着剤による弱い接着，ヒートシールやソニックシールによる弱い溶着ないし圧着によって，タック部１０を仮固定することとすればよい。仮固定手段１４は，例えば，吸収性物品１００の長手方向に沿って段階的に設けることとしても良いし，吸収性物品１００に沿って接着力に強弱を持たせて設けられたものであってもよい。
【００４５】
仮固定手段１４は，例えば，図３（ａ）に示されるように，山折線１１及び谷折線１２を形成するシート部材に設けられることが好ましい。具体的には，仮固定手段１４は，トップシート２２が谷折線１２を形成する部分においてトップシート２２の折返点を仮固定し，バックシート２３が山折線１１を形成する部分においてバックシート２３の折返点を仮固定することとすればよい。ただし，図３（ａ）に示された仮固定手段１４の配置は一例であり，例えば，仮固定手段１４は，バックシート２３の山折線１１の折返点のみを仮固定するものであってもよいし，バックシート２３の全体に弱接着剤が塗布されることにより形成されたものであってもよい。
【００４６】
続いて，図３（ｂ）は，図３（ａ）に示された状態から，吸収性物品１００を左右側方に引張し，仮固定手段１４を剥離させて，複数のタック部１０を展開した状態を示している。図３（ｂ）に示されるように，複数のタック部１０を完全に展開することで，吸収性物品１００は，平坦状になる。そして，図３（ｂ）に示されたタック部１０の展開後の状態は，図３（ａ）に示されたタック部１０の展開前の状態と比較して，吸収性物品１００の製品幅が拡張している。
【００４７】
図４は，図１に示されたＣ−Ｃ線における断面図であり，吸収性物品１００のうち，固定手段１３が設けられた部分の断面形状を概念的に示している。図４（ａ）と図４（ｂ）は，それぞれ，固定手段１３の別の例を示すものである。
固定手段１３は，タック部１０が幅方向に展開しないように分離不可能に固定する。ここにいう分離不可能な固定とは，吸収性物品１００を自然に使用している状態では分離しない程度の接着力でタック部１０を固定することを意味する。少なくとも，固定手段１３は，仮固定手段１４よりも強い接着力によって，タック部１０を固定する。
【００４８】
まず，図４（ａ）に示されるように，固定手段１３は，山折線１１及び谷折線１２を形成するシート部材に設けられることとしてもよい。具体的には，固定手段１３は，トップシート２２が谷折線１２を形成する部分においてトップシート２２の折返点を固定し，バックシート２３が山折線１１を形成する部分においてバックシート２３の折返点を固定することとすればよい。固定手段１３は，例えば，ホットメルト接着剤による強い接着，ヒートシールやソニックシールによる強い溶着ないし圧着によって，タック部１０を固定することとすればよい。例えば，ホットメルト接着剤を用いて強い接着を達成しようとする場合には，接着剤の塗布量を増加させたり，塗布面積を拡大させればよい。また，ヒートシールやソニックシールによる強い接着を達成しようとする場合には，溶着・圧着面積を拡大させればよい。
【００４９】
また，図４（ｂ）に示されるように，固定手段１３は，バックシート２３の肌非当接面側に貼合された粘着部を持つ別体のシートであってもよい。粘着部を持つ別体のシート（固定手段１３）は，吸収性物品１００の幅方向に延びて，すべてのタック部１０を覆うようにして，バックシート２３の肌当接面側に貼合されることが好ましい。粘着部を持つ別体のシートには，例えば，セロハンテープ，クラフト粘着テープ，布粘着テープ，延伸ポリプロピレン粘着テープ，ビニールテープ，又はサージカルテープなど，公知の粘着テープを採用できる。
【００５０】
図５は，吸収性物品１００に山折線１１及び谷折線１２を形成する好ましい配置を説明するための図であり，タック部１０が完全に展開した状態を平面視したものを概念的に描画している。なお，図５において，図の上下方向が，吸収性物品１００の長手方向に相当し，図の左右方向が吸収性物品の幅方向に相当する。
図５に示されるように，山折線１１と谷折線１２は，吸収性物品１００の長手方向に延びて形成され，吸収性物品１００の幅方向に交互に並ぶように配置されている。本実施の形態において，一のタック部１０は，一の山折線１１と一の谷折線１２によって形成される。また，タック部１０は，吸収性物品１００の幅方向に隣接する。ここで，一のタック部１０を形成する山折線１１と谷折線１２の間の距離をＴとし，互いに隣接するタック部１０の山折線１１との谷折線１２の間の距離をＳとした場合に，Ｓの値は，Ｔの値の２倍以上であることが好ましい（Ｓ≧２Ｔ）。このように，Ｓ≧２Ｔとすることにより，吸収性物品１００に複数のタック部１０を形成したときに，隣接するタック部１０が，吸収性物品１００の厚み方向に重なることを防止できる。このため，タック部１０を展開する前の吸収性物品１００の外観が美麗になる。また，特に，Ｓ＝２Ｔとすることにより，タック部１０が重なり合うことを防止しつつ，複数のタック部１０を美麗に並べて形成することができる。なお，複数のタック部１０を形成する場合において，距離Ｓの値は，２Ｔ以上３Ｔ以下であることが好ましい（２Ｔ≦Ｓ≦３Ｔ）
距離Ｓや距離Ｔの値は適宜変更可能である。例えば，距離Ｓは，１０ｍｍ〜４０ｍｍ，１５ｍｍ〜３５ｍｍ，又は２０ｍｍ〜３０ｍｍであることが好ましい。また，距離Ｔの値は，２０ｍｍ〜８０ｍｍ，３０ｍｍ〜７０ｍｍ，又は４０ｍｍ〜６０ｍｍであることが好ましい。
【００５１】
図６は，上記した実施形態とは異なる実施形態に係る吸収性物品の断面形状を示している。図６では，特に，固定手段１３が設けられていない部分の断面図を概念的に示している。図６（ａ）は，図３（ａ）と同様に，タック部１０が展開する前の吸収性物品の断面形状を示している。また，図６（ｂ）は，図３（ｂ）と同様に，タック部１０が展開した後の吸収性物品の断面形状を示している。
【００５２】
図６に示された実施形態においては，吸収体２１に，肌非当接面側から肌当接面側まで貫通した溝部２１ａが，複数箇所に形成されている。この溝部２１ａは，吸収性物品１００の長手方向に延びており，前身頃１の端部から後身頃２側の端部に掛けて形成されている。また，この溝部２１ａは，吸収性物品１００の幅方向に並列する。このため，実質的には，吸収体２１が溝部２１ａを境にして複数部分に分離され，分離された吸収体２１が，吸収性物品１００の幅方向に並列しているといえる。
【００５３】
また，吸収体２１の肌非当接面側には，バックシート２３が貼合されている。図６（ａ）に示されるように，このバックシート２３は，バックシートの谷折線１２ｂにおいて肌当接面側に起立し，吸収体２１の溝部２１ａを通って，吸収体２１の肌当接面側に突出する。バックシート２３は，吸収体２１の肌当接面側に突出した位置に，バックシートの山折線１１ｂを有する。バックシート２３は，バックシートの山折線１１ｂにおいて，肌非当接面側に折り返され，吸収体２１の溝部２１ａを通って，吸収体２１の肌非当接面側に貼合されている。
【００５４】
他方，吸収体２１の肌当接面側には，トップシート２２が貼合されている。図６（ａ）に示されるように，このトップシート２２は，肌非当接面側から突出してきたバックシート２３に接触する位置に，トップシートの谷折線１２ａを有し，このトップシートの谷折線１２ａにおいてバックシート２３とともに折れ曲がる。また，トップシート２２は，バックシートの山折線１１ｂに沿った位置に，トップシートの山折線１１ａを有する。このため，吸収体２１の肌当接面側においては，トップシート２２が，バックシート２３を挟持するような状態となる。このようにしてトップシート２２とバックシート２３が折り畳まれ，複数のタック部１０が形成されている。
【００５５】
各タック部１０は，仮固定手段１４によって，折り畳まれた状態が仮固定されることが好ましい。仮固定手段１４は，例えば図６（ａ）に示されるように，トップシートの山折線１１ａ及びバックシートの山折線１１ｂが形成された近傍におけるタック部１０の先端部分に設けられ，タック部１０の先端部分とトップシート２２の表面を剥離可能な接着力で仮固定することとしてもよい。
【００５６】
図６（ａ）に示された形態のように，吸収体２１に溝部２１ａを設けて，その溝部２１ａが位置する部分において，トップシート２２とバックシート２３を山谷状に折り畳むことで，吸収体２１に折目を設けることなく，タック部１０を形成できる。このため，図６に示された実施形態は，図３に示された吸収体２１に折目を付けてタック部１０を形成する実施形態と比較し，吸収体２１の厚みを厚くすることができる。従って，図６に示された実施形態では，吸収体２１による液保持性を高めることができる。
【００５７】
図６（ｂ）は，図６（ａ）に示された状態から，吸収性物品１００を左右側方に引張し，仮固定手段１４を剥離させて，複数のタック部１０を展開した状態を示している。図６（ｂ）に示されるように，複数のタック部１０を完全に展開することで，吸収性物品１００は，平坦状になる。このとき，吸収体２１に形成された溝部２１ａの幅が拡張する。これにより，図６（ｂ）に示されたタック部１０の展開後の状態は，図６（ａ）に示されたタック部１０の展開前の状態と比較して，吸収性物品１００の製品幅が拡張している。
【００５８】
また，図６（ｃ）は，上記図６（ａ）に示した形態の変形例を示している。図６（ｃ）に示された形態では，このトップシート２２が，トップシートの山折線１１ａにおいて肌非当接面側に折れ曲がり，吸収体２１の溝部２１ａを通って，吸収体２１の肌当接面側に突出する。トップシート２２は，吸収体２１の肌当接面側に突出した位置に，トップシートの谷折線１２ａを有する。トップシート２２は，トップシートの谷折線１２ａにおいて，肌当接面側に折り返され，吸収体２１の溝部２１ａを通って，吸収体２１の肌当接面側に貼合されている。図６（ｃ）に示されるように，バックシート２３は，肌当接面側から突出してきたトップシート２２に接触する位置に，バックシート２３の山折線１１ｂを有し，このバックシート２３の山折線１１ｂにおいてトップシート２２とともに折れ曲がる。また，バックシート２３は，トップシートの谷折線１２ａに沿った位置に，バックシートの谷折線１２ｂを有する。このため，吸収体２１の肌非当接面側においては，バックシート２３が，トップシート２２を挟持するような状態となる。このようにして，図６（ｃ）に示された形態では，トップシート２２とバックシート２３が折り畳まれ，複数のタック部１０が形成される。
【００５９】
また，図６（ｃ）に示された形態において，各タック部１０は，仮固定手段１４によって，折り畳まれた状態が仮固定されることが好ましい。仮固定手段１４は，例えば図６（ｃ）に示されるように，トップシートの谷折線１２ａ及びバックシートの谷折線１２ｂが形成された近傍におけるタック部１０の突端部分に設けられ，タック部１０の突端部分とバックシート２３の表面を剥離可能な接着力で仮固定することとしてもよい。このように，仮固定手段１４をバックシート２３側に設けることにより，借り固着手段１４を剥離してタック部１０を展開させたときに，仮固着手段１４が肌側に露出することがなくなる。このため，タック部１０の展開部分の肌触りが良好になる。
【００６０】
図７は，吸収性物品１００のうち，固定手段１３が設けられた部分の断面形状を概念的に示したものである。図７（ａ）は，図４（ａ）と同様に，ホットメルト接着剤やヒートシールによって，タック部１０を固定した例を示している。図７（ａ）に示されるように，固定手段１３は，トップシートの山折線１１ａ及びバックシートの山折線１１ｂが形成された近傍におけるタック部１０の先端部分に設けられ，タック部１０の先端とトップシート２２の表面を剥離可能な接着力で仮固定することとしてもよい。
【００６１】
また，図７（ｂ）は，図４（ｂ）と同様に，粘着部を持つ別体のシートを用いて，タック部１０を固定した例を示している。図７（ｂ）に示されるように，粘着部を持つ別体のシート（固定手段１３）を，吸収性物品１００の幅方向に延ばし，すべてのタック部１０を覆うようにして，バックシート２３の肌当接面側に貼合することとしてもよい。
【００６２】
また，図７（ｃ）は，上記図７（ａ）に示した形態の変形例を示している。図７（ｃ）に示されるように，タック部１０が吸収体１０の肌非当接面側に突出する形態である場合，固定手段１３は，トップシートの谷折線１２ａ及びバックシートの谷折線１２ｂが形成された近傍におけるタック部１０の先端部分に設けられ，タック部１０の先端とバックシート２３の裏面を剥離可能な接着力で仮固定することとしてもよい。
【００６３】
図８は，上記した実施形態とは異なる実施形態に係る吸収性物品１００を示す斜視図である。図８は，図２と同様に，吸収性物品１００をトップシート２２側からみた状態を示している。
図８に示された実施形態では，図２に示された実施形態とは異なり，タック部１０を折り畳んだ状態で固定するための固定手段１３が，吸収性物品１００を長手方向に２分する中央線からズレた位置に設けられている。すなわち，図８に示された例では，固定手段１３が，吸収性物品１００を長手方向に２分する中央線から後身頃２側にズレて設けられている。このように，固定手段１３は，必ずしも，吸収性物品１００を長手方向中央に設ける必要はなく，吸収性物品１００の用途に応じて，適宜位置を変更することができる。図８に示された実施形態のように，固定手段１３を後身頃２側寄りの位置に形成することで，後身頃２の幅と比較し，前身頃１側の幅を広く拡張することができる。前身頃１側の幅を広く確保することにより，例えば，着用者が男性であり男性器の向きにより排尿方向が任意の方向になる可能性がある場合であっても，効果的に尿漏れを防止することができる。
【００６４】
その他，固定手段１３は，吸収性物品１００の股下部３に限らず，例えば，後身頃１又は前身頃２に設けることとしてもよい。例えば，固定手段１３を，後身頃１の端部に設け，後身頃１の端部に位置するタック部１０が，幅方向に展開しないように固定することとしてもよい。このように，固定手段１３は，少なくとも，タック部１０の一部を部分的に固定するものであればよく，その位置は，着用者の要望や身体特性に合せて適宜変更可能である。
【００６５】
図９は，上記した実施形態とは異なる実施形態に係る吸収性物品１００を示している。図９に示された実施形態において，吸収性物品１００は，吸収体２１，トップシート２２，及びバックシート２３を含む吸収性本体２０と，吸収性本体２０を着用者の身体に宛てがった状態で保持するための外装体シート３０を備える。このような形態の吸収性物品１００は，例えば使い捨ておむつとして利用される。特に，図９は，テープ型の使い捨ておむつを例として示したものである。
【００６６】
図９に示された実施形態において，吸収性本体２０に，複数のタック部１０が形成されている。タック部１０の構成は，上記した実施形態と同様である。すなわち，吸収性本体２０の長手方向に沿って延びる山折線と谷折線が形成され，この山折線と谷折線が，吸収性本体２０の幅方向に並列することにより，複数のタック部１０が形成されている。複数のタック部１０は，それぞれ，長手方向の一部が，固定手段１３によって部分的に固定され，幅方向に展開しないようになっている。
【００６７】
他方，外装体シート３０は，肌当接面側に吸収性本体２０が固定される部材である。外装体シート３０は，肌非当接面側に位置するアウターシート３１と，肌当接面側に位置するインナーシート３２とを重ね合わせて構成されている。アウターシート３１及びインナーシート３２は，例えば不職布などの手触りのよいシート部材で形成されることが好ましい。
【００６８】
外装体シート３０は，前身頃１と後身頃２の幅方向の左右外側向かって延出したサイドフラップ３３を有している。また，後身頃２には，各サイドフラップ３３の側縁から突出するように止着テープ３４が取り付けられおり，止着テープ３４の先端部近傍には係止部３４ａが設けられている。
一方，前身頃１の肌非当接面側には，止着テープ３４の係止部３４ａを止め付けるためのフロントパッチ３５が設けられている。このため，吸収性物品１００は，後身頃２を着用者の背部に宛てがい，前身頃１を着用者の腹部に宛てがった状態で，後身頃２に取り付けられている止着テープ３４の係止部３４ａを，前身頃１に設けられたフロントパッチ３５に止め付けることにより，吸収性本体２０を着用者の股下に保持することができる。
【００６９】
例えば，各止着テープ３４に設けられた係止部３４ａと，前身頃１側に設けられたフロントパッチ３５は，フック材（雄部材）とループ材（雌部材）の機械的結合により固定を行うファスニング機構（面状ファスナー）を構成する。面状ファスナーは，例えば，表面に多数の突起（鉤状，きのこ状等）が形成されたフック材と，表面にループ状の繊維が配置されたループ材との組み合わせにより構成される。例えば，止着テープ３４の係止部３４ａとしてフック材を採用し，フロントパッチ３５にはループ材を採用すればよい。面状ファスナーは，ループ材の表面にフック材を貼り合わせた際，フック材の多数の突起をループ材の表面に係合させる。このため，面状ファスナーは，フック材とループ材を剥離可能な状態で，かつ強固に固着させることができるものであり，繰り返しの使用が可能である。
【００７０】
上記構成の吸収性本体２０と外装体シート３０は，吸収性本体２０に形成された複数のタック部１０の展開性を阻害しないように，吸収性本体２０を，外装体シート３０の肌当接面側（インナーシート３２）に対し接合することが必要である。そこで，吸収性本体２０と外装体シート３０は，吸収性本体２０にタック部１０を固定するための固定手段１３が形成された位置において，互いに接合されていることが好ましい。すなわち，吸収性本体２０は，タック部１０の固定手段１３が形成された股下部３の領域において，外装体シート３０と接合される。他方，吸収性本体２０は，固定手段１３が形成されてない前身頃１及び後身頃２の領域においては，吸収性本体２０から分離させる。もともと，固定手段１３が形成された領域のタック部１０は，幅方向に展開しないものであるため，固定手段１３が形成された領域において，吸収性本体２０と外装体シート３０接合したとしても，吸収性本体２０のタック部１０は，その展開性が阻害されることはない。
【００７１】
また，図９に示されるように，吸収性本体２０と外装体シート３０は，固定手段１３が形成された位置に加え，吸収性本体２０の幅方向中央部において，吸収性本体２０の長手方向に延びて形成された接合手段１５によって，互いに剥離不能に接合されていることが好ましい。吸収性本体２０の幅方向全体に渡ってタック部１０が形成されている場合，吸収性本体２０の幅方向中央部に位置するタック部１０は，幅方向両側部に位置するタック部１０と比較し，展開性に劣るものである。このため，吸収性本体２０の幅方向中央部において，吸収性本体２０と外装体シート３０の接合手段１５を形成したとしても，吸収性本体２０の展開性が，阻害される程度は低い。他方，吸収性本体２０の幅方向中央部において，吸収性本体２０の長手方向に延びる接合手段１５を形成することにより，吸収性本体２０と外装体シート３０がより強固になる。図９に示されるように，固定手段１３と接合手段１５を十字状にクロスさせて設けることにより，吸収性本体２０と外装体シート３０の接合力が向上するため，吸収性本体２０に形成されたタック部１０が強い力で展開されたとしても，吸収性本体２０が外装体シート３０から容易に剥離してしまうような事態を防止できる。なお，接合手段１５としては，結着力の強いホットメルト接着剤等を用いればよい。
【００７２】
図１０〜図１３は，上記した実施形態とはさらに別の実施形態を示している。図１０〜図１３に示す実施形態は，吸収性本体２０ではなく，外装体シート３０に，タック部１０を形成した実施形態である。
まず，図１０に示されるように，吸収性物品１００は，吸収性本体２０と，外装体シート３０を備える。吸収性本体２０と外装体シート３０の基本構成は，上述した実施形態と同様である。ここで，外装体シート３０には，外装体シート３０の長手方向に沿って延びる山折線と谷折線が形成され，この山折線と谷折線が，外装体シート３０の幅方向に並列することにより，複数のタック部１０が形成されている。複数のタック部１０は，それぞれ，長手方向の一部が，固定手段１３によって部分的に固定され，幅方向に展開しないようになっている。図１０に示された実施形態において，吸収性本体２０と外装体シート３０は，外装体シート３０に形成された複数のタック部１０の展開性を阻害しないように，外装体シート３０にタック部１０を固定するための固定手段１３が形成された位置において，互いに接合されている。
【００７３】
図１１は，吸収性物品１００のうち，固定手段１３が設けられていない部分の断面図を概念的に示している。図１１は，図１０に示されたＤ−Ｄ線における断面図であり，タック部１０が展開する前の吸収性物品の断面形状を示している。図１１（ｂ）は，図１１（ａ）に示された状態から，タック部１０が展開した後の吸収性物品の断面形状を示している。
まず，図１１（ａ）に示されるように，本実施の形態において，外装体シート３０に，タック部１０が形成される。外装体シート３０は，アウターシート３１とインナーシート３２は一体に接合された状態で，山谷線１１及び谷折線１２に沿って折り畳まれて，複数のタック部１０が形成されている。このように，例えばホットメルト接着剤を用いて，アウターシート３１とインナーシート３２を貼合した状態で，これらの積層物に，山折線１１と谷折線１２を交互に設けて，複数のタック部１０を形成する。
【００７４】
また，図１１（ａ）に示されるように，閉じた状態のタック部１０のそれぞれは，仮固定手段１４によって，剥離可能に仮固定されていることが好ましい。仮固定手段１４は，例えば，図１１（ａ）に示されるように，山折線１１及び谷折線１２を形成するシート部材に設けられることが好ましい。具体的には，仮固定手段１４は，アウターシート３１が山折線１１を形成する部分においてアウターシート３１の折返点を仮固定し，インナーシート３２が谷折線１２を形成する部分においてインナーシート３２の折返点を仮固定する。ただし，図１１（ａ）に示された仮固定手段１４の配置は一例であり，例えば，仮固定手段１４は，アウターシート３１の山折線１１の折返点のみを仮固定するものであってもよい。
【００７５】
図１１（ｂ）は，図１１（ａ）に示された状態から，外装体シート３０を左右側方に引張し，仮固定手段１４を剥離させて，複数のタック部１０を展開した状態を示している。図１１（ｂ）に示されるように，複数のタック部１０を完全に展開することで，外装体シート３０は，平坦状になる。そして，図１１（ｂ）に示されたタック部１０の展開後の状態は，図１１（ａ）に示されたタック部１０の展開前の状態と比較して，外装体シート３０の製品幅が拡張している。
【００７６】
続いて，図１２は，図１０に示されたＥ−Ｅ線における断面図であり，吸収性物品１００のうち，固定手段１３が設けられた部分の断面形状を概念的に示している。
図１２に示された実施形態において，固定手段１３は，タック部１０が幅方向に展開しないよう分離不可能に固定するとともに，吸収性本体２０を外装体シート３０に固定する。すなわち，固定手段１３は，吸収性本体２０と外装体シート３０の間に設けられ，タック部１０が形成されて折り畳まれた状態の外装体シート３０と吸収性本体２０を接合しており，これにより，タック部１０が幅方向に展開しないように固定されている。例えば，固定手段１３は，例えばホットメルト接着剤によって，上記仮固定手段１４よりも強い接着力で，吸収性本体２０と外装体シート３０を接合することが好ましい。例えば，ホットメルト接着剤を用いて強い接着を達成しようとする場合には，接着剤の塗布量を増加させたり，塗布面積を拡大させればよい。
【００７７】
なお，図１０〜図１２に示された実施形態においては，図９に示された実施形態と同様に，吸収性本体２０と外装体シート３０は，固定手段１３が形成された位置に加え，吸収性本体２０の幅方向中央部において，吸収性本体２０の長手方向に延びて形成された接合手段によって，互いに剥離不能に接合されていることが好ましい。
【００７８】
以上，本発明に係る使い捨ておむつの製造方法について，好ましい形態を例に説明を行った。ただし，本発明の吸収性物品は，上記実施の形態に限定されるものではなく，上記の形態から当業者が自明な範囲で適宜変更可能である。
例えば，本願明細書においては，タック部１０が，吸収性物品の前身頃１から後身頃２に掛けて長手方向全体に形成された例を示したが，本発明はこれに限定されるものではなく，タック部１０は，少なくとも前身頃１又は後身頃２のいずれか一方に設けられていればよい。
また，本願明細書においては，タック部１０が，一の山折線１１と一の谷折線１２により形成される例を示したが，例えば，タック部１０は，二つの谷折線１２の間に一の山折線１１を設けることにより，形成されたものであってもよい。すなわち，タック部１０を複数連続して形成する場合には，例えば，吸収性本体１１の幅方向に，谷折線１２，山折線１１，谷折線１２，谷折線１２，山折線１１，谷折線１２，谷折線１２・・・の順で並べて形成することもできる。
【符号の説明】
【００７９】
１      前身頃
２      後身頃
３      股下部
１０    タック部
１１    山折線
１２    谷折線
１３    固定手段
１４    仮固定手段
１５    接合手段
２０    吸収性本体
２１    吸収体
２１ａ  溝部
２２    トップシート
２３    バックシート
３０    外装体シート
３１    アウターシート
３２    インナーシート
３３    サイドフラップ
３４    止着テープ
３４ａ  係止部
３５    フロントパッチ
１００  吸収性物品
【図１】
0005853786.tif 000002
【図２】
0005853786.tif 000003
【図３】
0005853786.tif 000004
【図４】
0005853786.tif 000005
【図５】
0005853786.tif 000006
【図６】
0005853786.tif 000007
【図７】
0005853786.tif 000008
【図８】
0005853786.tif 000009
【図９】
0005853786.tif 000010
【図１０】
0005853786.tif 000011
【図１１】
0005853786.tif 000012
【図１２】
0005853786.tif 000013